(57)【要約】【課題】ブラシホルダのスカートガードへの着脱の作業時間を短縮することのできる乗客コンベアを得ることを目的とする。【解決手段】スカートガード６は、スライド穴部６ａ、及びスライド穴部６ａの長さ方向の一方の端部に接続された着脱穴部６ｂからなる複数の嵌合穴６Ａを備え、ドレスガード１０は、それぞれ、取付面２２ａを有する長尺体の基部２１、及び取付面２２ａに突設され、幅狭の根元部２６Ａを有する複数の嵌合突部２６を有し、嵌合突部２６を着脱穴部６ｂに挿入し、スライド穴部６ａの他方の端部側にスライド式に移動して根元部２６Ａをスライド穴部６ａの他方の端部に当接させることで、ステップ３の移動方向に沿って隙間無く連設された複数のブラシホルダ２０と、ブラシホルダ２０から突出するように配設されたブラシ３１と、連設された複数のブラシホルダ２０のスライド移動を規制するホルダ移動規制機構と、を備えている。【選択図】図２
2010159100.tif 000002
【特許請求の範囲】
【請求項１】
無端状に連結されて一対の乗降口の間を循環移動するステップと、上記ステップの両側に該ステップとの間に隙間を保って該ステップの移動方向に沿って延設されたスカートガードと、上記スカートガードの表面に上記ステップの踏み面から離間して、かつ該ステップの移動方向に沿って延設されたドレスガードと、を備えた乗客コンベアにおいて、
上記スカートガードは、上記ステップの移動方向に所定の長さを有するスライド穴部、及び該スライド穴部の長さ方向の一方の端部に接続され、該スライド穴部の長さ方向に直交する方向の該スライド穴部の幅より広い幅の開口形状を有する着脱穴部からなり、該ステップの移動方向に沿って互いに離間して複数形成された嵌合穴を備え、
上記ドレスガードは、それぞれ、取付面、及び該取付面に対向する先端面を有する長尺体に作製された基部、及び上記取付面に上記基部の長さ方向に互いに離間して突設され、幅狭の根元部を有する複数の嵌合突部を有し、上記嵌合突部を上記着脱穴部に挿入し、上記スライド穴部の他方の端部側にスライド式に移動して上記根元部を該スライド穴部の他方の端部に当接させ、上記基部を上記ステップの幅寸法を減じる方向に上記スカートガードの表面から突出させ、かつ該スライド穴部の幅方向及び上記スカートガードの厚み方向の移動を規制されて、上記ステップの移動方向に沿って隙間無く連設された複数のブラシホルダと、
上記基部の長さ方向の全域にわたって上記ステップの幅寸法を減じる方向に上記ブラシホルダから突出するように配設されたブラシと、
上記ステップの移動方向に沿って隙間無く連設された上記複数のブラシホルダの上記スライド穴部の長さ方向の一方の端部側へのスライド移動を規制するスライド規制手段と、
を備えることを特徴とする乗客コンベア。
【請求項２】
スライド溝が、溝方向を上記基部の長さ方向に一致させ、上記先端面に開口するように該基部の長さ方向の全域にわたって形成され、
上記スライド溝の溝形状に一致する断面形状を有し、上記ブラシホルダと同じ長さの長尺体に構成され、該スライド溝にスライド式に嵌合されて該ブラシホルダに支持されたブラシ支持体を備え、
上記ブラシは、上記ブラシ支持体に植立されて上記スライド溝の開口から上記ステップ側に延出していることを特徴とする請求項１記載の乗客コンベア。
【請求項３】
上記スライド規制手段は、上記ステップの移動方向に沿って隙間無く連設された上記複数のブラシホルダの上記スライド穴部の長さ方向の一方の端部側の端部に位置する該ブラシホルダの上記基部の端面に接するように着脱自在に上記スカートガードに装着されたブラシホルダ当接体を有することを特徴とする請求項１または請求項２記載の乗客コンベア。
【請求項４】
上記乗降口近傍に配設され、上記ステップを停止状態にする、または該ステップを運転状態するキースイッチを備え、
上記ブラシホルダ当接体は、上記キースイッチと共通の鍵により上記スカートガードに着脱自在に装着されていることを特徴とする請求項３記載の乗客コンベア。
【発明の詳細な説明】
【技術分野】
【０００１】
この発明は、エスカレータなどの乗客コンベアに関し、特にスカートガードに取り付けられるドレスガードのブラシホルダの取付構造に関するものである。
【背景技術】
【０００２】
従来の乗客コンベアにおいては、内溝が形成された第１の基材体を、ビスを内溝内からスカートガードの垂直面に締着固定してステップの移動方向に沿って延設し、刷毛体が植立された第２の基材体を内溝にスライド式に嵌合させて第１の基材体に取り付けて、刷毛体がステップとスカートガードとの間の隙間を覆うように構成された安全装置が提案されていた（例えば、特許文献１参照）。
【０００３】
このように構成された従来の乗客コンベアでは、ビスが第１の基材体の内溝内からスカートガードに締着固定されているので、ビスが内溝に嵌合された第２の基材体に隠れ、意匠性が向上されるとともに、第１の基材体及び第２の基材体が利用者の悪戯により取り外されることが防止される。
【先行技術文献】
【特許文献】
【０００４】
【特許文献１】特開２００３−１８２９６５号公報
【発明の概要】
【発明が解決しようとする課題】
【０００５】
特許文献１では、第１の基材体の数について、詳細に記載されていないが、上階から下階に至る長さの第１の基材体を単体で構成してスカードガードに固定するのは困難である。つまり、複数の第１の基材体が、上階から下階に至るまで隙間なくステップの移動方向に沿って延設されるように、第１基材体のそれぞれをスカートガードにビスで固定する必要がある。そして、例えば、第１の基材体と同じ長さの第２の基材体を複数用意し、複数の第２の基材体を第１の基材体の内溝に、順次、スライド式に嵌合させて第１の基材体に取り付ける必要がある。このため、従来の乗客コンベアでは、下記の問題が発生する。
【０００６】
例えば、ステップの移動方向の中央に位置する第１の基材体を交換したり清掃したりするために、第１の基材体を着脱する作業について説明する。まず、最下端（または最上端でもよい）に位置する第２の基材体を、最下端に位置する第１の基材体の内溝内をスライド移動して取り外す。以降、最下端から２番目に位置する第２の基材体から、取り外し対象の第１の基材体に嵌合された第２の基材体までを、順次、ステップの移動方向に沿って延設された第１の基材体の内溝内を下方にスライド移動させ、取り外し対象の第１の基材体の内溝全体を露出させる。そして、取り外し対象の第１の基材体を固定していたビスを外し、第１の基材体をスカートガードから取り外す。
【０００７】
第１の基材体の取り外し箇所に、再度第１の基材体を取り付け、第２の基材体を元に戻すには、まず、取り付け対象の第１の基材体を、取り外した第１の基材体が位置していた場所に配置し、ビスによりスカートガードに締着固定する。次いで、スライド移動させた第２の基材体を、ステップの移動方向に沿って延設された第１の基材体の内溝内を上方にスライド移動させて、順次、元の位置に戻す。最後に、取り外した第２の基材体を、最下端に位置する第１の基材体の内溝に挿入し、安全装置を復元する。
【０００８】
このように、第１の基材体の一つを取り外す場合でも、最下端または最上端と取り外したい第１の基材体との間に位置する複数の第１の基材体に嵌合されている第２の基材体のすべてを順次スライド移動させる必要がある。また、取り外した第１の基材体を元の位置に再固定した後には、スライド移動させた第２の基材体を元の位置まで再びスライド移動させる作業が必要となる。このように、第１の基材体の着脱作業が長時間に及んでしまう。
【０００９】
また、第１の基材体を強固にスカートガードに固定するには、複数のビスを用いる必要があり、ビスの締着やその解除に要する時間も増大し、第１の基材体の着脱作業がさらに長時間に及んでしまう。
【００１０】
この発明は、上記の問題を解決するためになされたものであり、ブラシが取り付けられるブラシホルダのスカートガードへの取付構造を工夫して、ブラシホルダのスカートガードへの着脱の作業時間を短縮することのできる乗客コンベアを得ることを目的とする。
【課題を解決するための手段】
【００１１】
この発明は、無端状に連結されて一対の乗降口の間を循環移動するステップと、ステップの両側にステップとの間に隙間を保ってステップの移動方向に沿って延設されたスカートガードと、スカートガードの表面にステップの踏み面から離間して、かつステップの移動方向に沿って延設されたドレスガードと、を備えた乗客コンベアにおいて、スカートガードは、ステップの移動方向に所定の長さを有するスライド穴部、及びスライド穴部の長さ方向の一方の端部に接続され、スライド穴部の長さ方向に直交する方向のスライド穴部の幅より広い幅の開口形状を有する着脱穴部からなり、ステップの移動方向に沿って互いに離間して複数形成された嵌合穴を備え、ドレスガードは、それぞれ、取付面、及び取付面に対向する先端面を有する長尺体に作製された基部、及び取付面に基部の長さ方向に互いに離間して突設され、幅狭の根元部を有する複数の嵌合突部を有し、嵌合突部を着脱穴部に挿入し、スライド穴部の他方の端部側にスライド式に移動して根元部をスライド穴部の他方の端部に当接させ、基部をステップの幅寸法を減じる方向にスカートガードの表面から突出させ、かつスライド穴部の幅方向及びスカートガードの厚み方向の移動を規制されて、ステップの移動方向に沿って隙間無く連設された複数のブラシホルダと、基部の長さ方向の全域にわたってステップの幅寸法を減じる方向にブラシホルダから突出するように配設されたブラシと、ステップの移動方向に沿って隙間無く連設された複数のブラシホルダのスライド穴部の長さ方向の一方の端部側へのスライド移動を規制するスライド規制手段と、を備えている。
【発明の効果】
【００１２】
この発明によれば、所望のブラシホルダを着脱する場合、スライド移動規制手段によるブラシホルダのスライド移動の規制が解除された状態では、着脱対象のブラシホルダから一方の乗降口側の端部に位置するブラシホルダのそれぞれを、嵌合穴のスライド穴部の長さ分だけわずかにスライド移動させるだけで、ブラシホルダをスカートガードへ装着したり取り外したりすることが可能となる。従って、所望のブラシホルダのスカートガードへの着脱作業の負荷が軽減され、所望のブラシホルダをスカートガードに着脱するための作業時間を大幅に短縮することができる。
【図面の簡単な説明】
【００１３】
【図１】この発明の一実施の形態に係るエスカレータのドレスガード周りを示す要部斜視図である。
【図２】この発明の一実施の形態に係るエスカレータのドレスガード周りを示す要部断面図である。
【図３】この発明の一実施の形態に係るエスカレータのドレスガードの主要構成を説明する分解斜視図である。
【図４】図１のＡ部の拡大正面図である。
【図５】図４をスカートガードの反対側から見た正面図である。
【図６】この発明の一実施の形態に係るエスカレータにおいて、開閉動作部が施錠状態にあるスライド規制手段の構成を示す斜視図である。
【図７】この発明の一実施の形態に係るエスカレータにおいて、開閉動作部が解錠状態にあるスライド規制手段の構成を示す斜視図である。
【図８】この発明の一実施の形態に係るエスカレータのスカートガードの要部正面図である。
【図９】この発明の一実施の形態に係るエスカレータのドレスガードの所定のブラシホルダを着脱する作業を説明する図である。
【図１０】図９をスカートガードの反対側から見た正面図である。
【発明を実施するための形態】
【００１４】
以下、この発明を実施するための最良の形態について、図面を参照して説明する。
図１はこの発明の一実施の形態に係るエスカレータのドレスガード周りを示す要部斜視図、図２はこの発明の一実施の形態に係るエスカレータのドレスガード周りを示す要部断面図、図３はこの発明の一実施の形態に係るエスカレータのドレスガードの主要構成を説明する分解斜視図、図４は図１のＡ部の拡大正面図、図５は図４をスカートガードの反対側から見た正面図である。図６はこの発明の一実施の形態に係るエスカレータにおいて、開閉動作部が施錠状態にあるスライド規制手段の構成を示す斜視図であり、図６の（ａ）は錠機能部をその鍵穴側から見た場合を示し、図６の（ｂ）は錠機能部を鍵穴と反対側から見た場合を示している。図７はこの発明の一実施の形態に係るエスカレータにおいて、開閉動作部が解錠状態にあるスライド規制手段の構成を示す斜視図であり、図７の（ａ）は錠機能部をその鍵穴側から見た場合を示し、図７の（ｂ）は錠機能部を鍵穴と反対側から見た場合を示している。図８はこの発明の一実施の形態に係るエスカレータのスカートガードの要部正面図、図９はこの発明の一実施の形態に係るエスカレータのドレスガードの所定のブラシホルダを着脱する作業を説明する図であり、図４に相当している。図１０は図９をスカートガードの反対側から見た正面図である。
【００１５】
図１において、エスカレータ１は、無端状に連結されて、一方の乗降口２と他方の乗降口（図示せず）との間を循環移動するステップ３と、ステップ３の移動方向に沿ってステップ３の両側に立設された一対の欄干４と、欄干４に案内されてステップ３と同期して移動するハンドレール７と、を備えている。一対の欄干４は、ステップ３の移動方向に沿ってステップ３の両側に立設された欄干パネル５、及びステップ３の両側にステップ３との間の隙間を保ってステップ３の移動方向に沿って延設されて、欄干パネル５とステップ３とを仕切るスカートガード６などを備えている。
【００１６】
そして、スカートガード６のステップ３側の表面には、ドレスガード１０がステップ３の踏み面３ａから離間して、ステップ３の移動方向に沿って一方の乗降口２から他方の乗降口に至るように延設されている。また、ステップ３を停止状態にする停止モード、およびステップ３を運転状態にする運転モードのいずれかを選択可能に構成された周知のキースイッチ５０が、一方の乗降口２近傍の欄干４の外側面に配設されている。キースイッチ５０は、鍵穴５０ａを備え、鍵穴５０ａに差し込んだ鍵（図示せず）の操作により、運転モードと停止モードとを選択可能になっている。
【００１７】
次いで、ドレスガード１０の構成について説明する。
図１〜図５において、ドレスガード１０は、ステップ３の踏み面３ａから離間して、ステップ３の移動方向に沿って一方の乗降口２から他方の乗降口に至るように、一対の欄干４のスカートガード６の表面に隙間なく連設される複数のブラシホルダ２０と、各ブラシホルダ２０に取り付けられ、ブラシ３１が植立されたブラシ支持体３０と、スカートガード６に着脱自在に装着され、隙間なく連設されたブラシホルダ２０及びブラシホルダ２０に装着されたブラシ支持体３０のスライド移動を規制するスライド規制手段としてのホルダ移動規制機構４０と、を備える。
以下では、一方の乗降口２を、下階の乗降口２とする。
【００１８】
ブラシホルダ２０は、例えば、樹脂により作製され、図２及び図３に示されるように、概略断面コ字状の長尺体の基部２１、及び基部２１の底壁部２２の外面に突設されて、基部２１と協働してスカートガード６に嵌合される嵌合凹部２７を構成する３つの嵌合突部２６を備えている。なお、ブラシホルダ２０の長さは１５００ｍｍ程度となっている。
【００１９】
基部２１は、矩形平板状の底壁部２２と、底壁部２２の長手方向に平行な両縁部から延出して相対する一対の側壁部２３ａ，２３ｂと、を備えている。一対の側壁部２３ａ，２３ｂの互いの間の間隔は、側壁部２３ａ，２３ｂの先端に向かうにつれて漸次狭くなっており、溝形状を断面等脚台形とするスライド溝２４が、側壁部２３ａ，２３ｂと底壁部２２とで構成されている。そして、底壁部２２の外面がスカートガード６に押しあてられる取付面２２ａを構成し、また、側壁部２３ａ，２３ｂの底壁部２２からの延出端面が取付面２２ａに対向する先端面２５を構成している。つまり、スライド溝２４が、溝方向を基部２１の長さ方向に一致させ、先端面２５に開口するように基部２１の長さ方向の全域にわたって形成されている。
【００２０】
３つの嵌合突部２６は、底壁部２２の外面に基部２１の長さ方向に互いに離間して突設されている。
そして、嵌合突部２６のそれぞれは、基部２１の長手方向に所定の厚みを有し、スカートガード６の厚さに略一致する取付面２２ａからの高さ位置で、底壁部２２の短手方向の幅がステップ状に変化している。このとき、嵌合突部２６の取付面２２ａ側の幅が狭くなっている。以下、嵌合突部２６の幅は、底壁部２２の短手方向に一致する方向の幅をいうものとする。また、底壁部２２の外面に連結される嵌合突部２６の幅狭の部位を根元部２６Ａとし、幅広の部位を幅広部２６Ｂとする。
【００２１】
そして、根元部２６Ａの幅方向の両側には、一対の嵌合凹部２７のそれぞれが、底壁部２２と幅広部２６Ｂの相対する壁面、及び当該幅広部２６Ｂの壁面と底壁部２２の壁面とを連結する根元部２６Ａの側面により構成されている。
【００２２】
ブラシ支持体３０は、図２及図３に示されるように、スライド溝２４の溝形状とほぼ同一の断面形状を有し、基部２１と同じ長さの棒状体に構成されている。このとき、ブラシ支持体３０の断面等脚台形における平行な縁部のうち、短い縁部を構成する面をブラシ取付面３０ａとする。
そして、ブラシ３１が、ブラシ取付面３０ａにブラシ支持体３０の長手方向全域に亘って植立されている。そして、ブラシ支持体３０は、ブラシ３１を底壁部２２と反対に向け、基部２１の長手方向の一端からスライド溝２４内にスライド式に嵌合されて、基部２１に装着される。このとき、ブラシ３１がスライド溝２４の開口から延出する。
【００２３】
また、ホルダ移動規制機構４０は、図６及び図７に示されるように、鍵４１、及び錠機能部４２を備えている。
鍵４１はキースイッチ５０に用いられる鍵と共通のものが用いられている。
錠機能部４２は、ブラシホルダ当接体としての中空の直方体形状のケース４３、ケース４３の一面に形成された鍵穴４３ａ、及びケース４３の他面側でケース４３に挿通された鍵動作連動部４５を備える。
【００２４】
そして、鍵動作連動部４５は、断面円の棒状の軸部４５ａ、及び軸部４５ａと同じ直径の断面円の棒状に構成され、軸部４５ａに直交するように長手方向の中間部を軸部４５ａに固定された着脱規制部４５ｂを備える。そして、軸部４５ａは、その軸方向をケース４３の他面に直交する方向に一致させて、ケース４３に他面に開口する貫通穴（図示せず）に遊嵌状態に挿通されている。このとき、着脱規制部４５ｂが、ケース４３の他面と平行に延在し、着脱規制部４５ｂとケース４３の他面との間の距離はスカートガード６の厚さに略一致している。
【００２５】
そして、鍵動作連動部４５は、鍵穴４３ａに差し込まれた鍵４１の回動動作に連動して、軸部４５ａの軸まわりに回動するようにケース４３に装着されている。
このとき、鍵動作連動部４５の軸部４５ａの軸まわりの回動は、９０度の範囲で回動できるようになっている。そして、鍵動作連動部４５は、鍵穴４３ａに差し込まれた鍵４１の回動角度に応じて、図６の（ｂ）に示されるように、着脱規制部４５ｂの長手方向が、ケース４３の長手方向に直交する施錠状態と、図７の（ｂ）に示されるように、着脱規制部４５ｂの長手方向が、ケース４３の長手方向に一致する解錠状態と、の間の状態をとるようになっている。
【００２６】
また、スカートガード６には、図８に示されるように、嵌合突部２６が嵌合されるＴ字状の嵌合穴６Ａが、嵌合突部２６の互いの間の間隔に対応する間隔で、上下階の乗降口間にステップ３の移動方向に沿って複数形成されている。なお、嵌合突部２６の互いの間の間隔とは、異なるブラシホルダ２０を隣接させたときに、異なるブラシホルダ２０に突設された隣り合う嵌合突部２６の間の間隔も含む。
そして、嵌合穴６Ａのそれぞれは、根元部２６Ａの幅と略同じ幅でステップ３の移動方向に所定の長さに延在するスライド穴部６ａと、スライド穴部６ａの長さ方向の一方の端部に接続され、スライド穴部６ａの長さ方向に直交する方向の幅がスライド穴部６ａの幅より広い開口形状を有する着脱穴部６ｂと、で構成されている。
【００２７】
ここでは、着脱穴部６ｂは、スライド穴部６ａの幅より長手方向の長さを有する概略矩形の開口形状を有し、着脱穴部６ｂの長手方向がスライド穴部６ａの長さ方向に直交している。また、スライド穴部６ａの長さ方向の一方の端部は、下階の乗降口２側の端部とする。このとき、着脱穴部６ｂは、根元部２６Ａ及び幅広部２６Ｂを挿入可能な大きさに形成されている。
【００２８】
また、スカートガード６の下階の乗降口２側端部近傍の部位には、取付穴６ｃが、最も下階の乗降口２側（以下、最下端とする）に位置する嵌合穴６Ａに隣接して形成されている。取付穴６ｃは、着脱規制部４５ｂ及び軸部４５ａの直径に略一致する短辺、及び着脱規制部４５ｂの長さより長い長辺を有する細長の矩形形状に形成されている。このとき、取付穴６ｃの長手方向は、取付穴６ｃに対応する位置を移動するステップ３の移動方向に直交している。
【００２９】
次いで、ドレスガード１０のスカートガード６への取り付け方法について説明する。
まず、ブラシ３１が植立されたブラシ支持体３０のそれぞれを、ブラシホルダ２０の基部２１のそれぞれのスライド溝２４内にスライド式に嵌合させる。次いで、スカートガード６の最上端に装着するブラシホルダ２０の嵌合突部２６を、対応するスカートガード６の部位に形成された着脱穴部６ｂに挿入し、基部２１をスカートガード６側に押し込んでスカートガード６に当接させる。このとき、根元部２６Ａがスライド穴部６ａの着脱穴部６ｂ側の端部に位置する。また、ブラシ３１は、基部２１の長さ方向の全域にわたってステップ３の幅寸法を減じる方向にブラシホルダ２０から突出するようにスライド溝２４から延出している。
【００３０】
次いで、着脱穴部６ｂと反対側に位置するスライド穴部６ａの長さ方向の他方の端部に、根元部２６Ａが当接するまで、ブラシホルダ２０をスライド穴部６ａの他方の端部側にスライド移動させる。このとき、基部２１は、ステップ３の幅寸法を減じる方向にスカートガード６の表面から突出する。また、嵌合凹部２７とスライド穴部６ａを構成する縁部周辺の部位とが押圧状態に嵌合し、ブラシホルダ２０は、スライド穴部６ａの幅方向及びスカートガード６の厚み方向の移動を規制される。
【００３１】
また、ブラシホルダ２０とスカートガード６との間には、ブラシホルダ２０がスライド穴部６ａ内を重力によって下階側にスライド移動しない程度の摩擦力が働いており、ブラシホルダ２０に力が作用していない場合は、ブラシホルダ２０とスライド穴部６ａとの嵌合状態が維持される。
【００３２】
以下、装着したブラシホルダ２０の下階側に隣接するように、順次ブラシホルダ２０をスカートガード６に同様に装着し、上階の乗降口から下階の乗降口２に至るように複数のブラシホルダ２０を隙間なくスカートガード６に連設する。
【００３３】
次いで、ホルダ移動規制機構４０を用意する。なお、錠機能部４２の初期状態は、解錠状態に設定されている。そして、図９及び図１０に示されるように、着脱規制部４５ｂを取付穴６ｃに挿入し、ケース４３をスカートガード６に押しつけてスカートガード６に当接させる。このとき、ケース４３の鍵穴４３ａは、ステップ３側に露出している。さらに、鍵４１を鍵穴４３ａに差し込み、鍵動作連動部４５が施錠状態をとるように鍵４１を回動させる。これにより、着脱規制部４５ｂがスカートガード６を介してケース４３と相対するので、錠機能部４２のスカートガード６からの脱落が防止される。そして、軸部４５ａが取付穴６ｃの下端部に当接する位置まで、錠機能部４２をスライド移動する。また、錠機能部４２のケース４３は、最下端に位置するブラシホルダ２０及びブラシ支持体３０の端面に接する大きさに形成されている。
【００３４】
これにより、ブラシホルダ２０がスライド穴部６ａにガイドされてスライド移動したり、ブラシ支持体３０がスライド溝２４内をスライド移動したりすることが規制され、ブラシホルダ２０は、安定してスカートガード６に装着される。なお、ブラシホルダ２０はステップ３の両側のスカートガード６に対して装着する。以上により、ドレスガード１０のスカートガード６への取り付けが完了する。
【００３５】
次いで、上記のように構成されたドレスガード１０において、ステップ３の移動方向の所定の位置に配置された所定のブラシホルダ２０のスカートガード６への着脱方法について説明する。例えば、ステップ３の移動方向の中央に位置するブラシホルダ２０に嵌合されたブラシ支持体３０を新規に交換するためにブラシホルダ２０を着脱する場合について説明する。
【００３６】
まず、錠機能部４２の鍵穴４３ａに鍵４１を差し込み、鍵動作連動部４５が解錠状態となるように鍵４１を回転させる。着脱規制部４５ｂの長手方向全域が鍵穴４３ａと相対する位置まで錠機能部４２をやや上方に持ち上げ、錠機能部４２をステップ３側に引き出してスカートガード６から取り外す。これにより、スライド穴部６ａにガイドされるブラシホルダ２０のスライド移動、及びブラシ支持体３０のスライド溝２４内のスライド移動の規制が解除される。
【００３７】
そして、最下端に位置するブラシホルダ２０を、スライド穴部６ａ内を着脱穴部６ｂに当接するまでスライド移動する。そして、ブラシホルダ２０は、スカートガード６から引き抜かずに、スライド穴部６ａの下側の縁部近傍のスカートガード６の部位に嵌合していた嵌合凹部２７を、着脱穴部６ｂの下部縁部近傍のスカートガード６の部位に嵌合させた状態でスカートガード６に掛け止めしておく。以降、同様に、最下端から２番目に位置するブラシホルダ２０から、取り外し対象のブラシホルダ２０の下階側に隣接するブラシホルダ２０までを、順次、着脱穴部６ｂに当接するまでスライド穴部６ａの長さ方向の下階側にスライド移動させ、スカートガード６に掛け止めしておく。
【００３８】
そして、取り外し対象のブラシホルダ２０を、スライド穴部６ａの長さ方向の下階側に着脱穴部６ｂに当接するまでスライド移動させた後、ステップ３側に引き抜くことで、所定のブラシホルダ２０のスカートガード６からの取り外し作業が終了する。
【００３９】
次いで、ブラシ支持体３０を、ブラシホルダ２０のスライド溝２４内をスライド移動させ、ブラシ支持体３０をブラシホルダ２０から引き抜く。さらに、新規のブラシ３１が植立されたブラシ支持体３０の端部を基部２１のスライド溝２４の端部に嵌合させる。そして、ブラシ支持体３０の長手方向の全域がスライド溝２４に嵌合するように、ブラシ支持体３０を、スライド溝２４内をスライド移動させてブラシホルダ２０に装着する。
【００４０】
次いで、新規のブラシ支持体３０を装着したブラシホルダ２０をスカートガード６の元の位置に、ドレスガード１０のスカートガード６への取付方法で述べたのと同様に装着する。以下、取り着けたブラシホルダ２０の下方に隣接するブラシホルダ２０から下階の乗降口２側の端部に最下階に位置するブラシホルダ２０までを、順次、基部２１の長さ方向の端面同士が互いに接するようにスライド穴部６ａの長さ方向の上階側にスライド移動させて元に戻す。
【００４１】
そして、最後に、鍵動作連動部４５が取付穴６ｃに挿入されるようにケース４３をスカートガード６に押し込んでスカートガード６に当接させる。さらに、鍵穴４３ａに差し込んだ鍵４１を回動して、鍵動作連動部４５を施錠状態にする。これにより、錠機能部４２のスカートガード６からの脱落は防止され、ケース４３が、最下端に位置するブラシホルダ２０の端面に接するので、ブラシホルダ２０がスライド穴部６ａにガイドされてスライド移動することが規制される。
以上により、ステップ３の移動方向の中央に位置するブラシホルダ２０のスカートガード６への着脱作業が完了する。
【００４２】
この実施の形態のエスカレータによれば、ステップ３の移動方向に所定の長さを有するスライド穴部６ａ、及びスライド穴部６ａの下階の乗降口２側の端部（スライド穴部６ａの長さ方向の一方の端部）に接続され、スライド穴部６ａの長さ方向に直交する方向の該スライド穴部６ａの幅より広い幅の開口形状を有する着脱穴部６ｂからなる嵌合穴６Ａが、ステップ３の移動方向に沿って互いに離間してスカートガード６に複数形成されている。また、ブラシホルダ２０のそれぞれが、取付面２２ａ、及び取付面２２ａに対向する先端面２５を有する長尺体に作製された基部２１、及び取付面２２ａに基部２１の長さ方向に互いに離間して突設され、幅狭の根元部２６Ａを有する複数の嵌合突部２６を有している。
【００４３】
そして、複数のブラシホルダ２０は、順次、嵌合突部２６を設置箇所の着脱穴部６ｂに挿入し、スライド穴部６ａの上階の乗降口２側の端部（スライド穴部６ａの長さ方向の他方の端部）にスライド式に移動して、根元部２６Ａをスライド穴部６ａの端部に当接させることで、ステップ３の移動方向に沿って隙間無く連設されている。このとき、基部２１は、ステップ３の幅寸法を減じる方向にスカートガード６の表面から突出する。また、ブラシホルダ２０の嵌合凹部２７がスカートガード６に押圧状態に嵌合するので、ブラシホルダ２０は、スライド穴部６ａの幅方向及びスカートガード６の厚み方向の移動を規制される。
【００４４】
また、エスカレータ１は、最下端に位置するブラシホルダ２０の端面に接するように装着され、ブラシホルダ２０がスカートガード６の表面に沿ってスライド移動することを規制するケース４３を有するホルダ移動規制機構４０を備えている。
【００４５】
これにより、所望のブラシホルダ２０は、鍵穴４３ａに鍵４１を差し込んで回動させ、錠機能部４２をスカートガード６から引き出したり押し込んだりするだけの作業、及び着脱対象のブラシホルダ２０から下階側の乗降口２までに位置するブラシホルダ２０のそれぞれを、嵌合穴６Ａのスライド穴部６ａの長さ分だけスライド移動させ、着脱対象のブラシホルダ２０をスカートガード６から引き出したり押し込んだりするだけの作業を行うだけで着脱することができる。
【００４６】
つまり、エスカレータ１では、ブラシホルダ２０のスカートガード６への装着にビスを用いる必要がない上、各ブラシホルダ２０のスカートガード６への着脱時のスライド移動量も極端に短いので、所望のブラシホルダ２０のスカートガード６への着脱作業の負荷が軽減される。つまり、ブラシホルダ２０のスカートガード６への着脱の作業時間を短縮することができる。
【００４７】
また、このように構成されたエスカレータ１では、利用者は、ステップ３の幅方向両側でステップ３の移動方向に延在しているドレスガード１０を確認し、自然とステップ３の幅方向中央に移動することになる。そこで、利用者の荷物などがステップ３とスカートガード６との間の隙間に挟まれるような事態が未然に回避される。
また、利用者の荷物などがステップ３の幅方向端部に近づくと、荷物などがブラシ３１に接触し、摺接音が発生するので、利用者は、荷物などがステップの幅方向端部に近づいたことを認識できる。そこで、利用者は、荷物などをステップ３の幅方向中央寄りに置き換えることができ、荷物などがステップ３とスカートガード６との間の隙間に挟まれるような事態が未然に回避される。
【００４８】
また、装着した錠機能部４２の取り外しは、鍵４１を保有する管理者のみが行うことができるので、利用者の悪戯によりブラシホルダ２０が取り外されることが防止できる。
また、ホルダ移動規制機構４０に用いる鍵４１として、キースイッチ５０に用いられる鍵を共通で用いているので、エスカレータ１を構成する部材数を削減できる。また、管理者は、キースイッチ５０の鍵穴５０ａ及び錠機能部４２の鍵穴４３ａに鍵４１を挿入する際、適合する鍵４１を迷うことなく取り出せる。
【００４９】
なお、この実施の形態では、嵌合穴６Ａは、スライド穴部６ａの下階の乗降口２側の端部に着脱穴部６ｂを連結させて構成し、ホルダ移動規制機構４０のケース４３を最下端に位置するブラシホルダ２０の端面に接する位置に装着してブラシホルダ２０のスライド移動を規制するものとして説明した。
しかし、スカートガード６に形成する嵌合穴は、スライド穴部６ａの上階の乗降口２側の端部に着脱穴部６ｂを連結させて構成し、ケース４３を最上端に位置するブラシホルダ２０の端面に接する位置に装着してブラシホルダ２０及びブラシ支持体３０のスライド移動を規制してもよい。この場合、着脱穴部６ｂが接続されるスライド穴部６ａの長手方向の端部を、スライド穴部６ａの一方の端部とし、上階の乗降口２を一方の乗降口とする。
【００５０】
つまり、ホルダ移動規制機構４０のケース４３は、ステップ３の移動方向に沿って隙間無く連設された複数のブラシホルダ２０のスライド穴部６ａの長さ方向の一方の端部側の端部に位置するブラシホルダ２０の基部２１の端面に接するように着脱自在にスカートガード６に装着すればよい。
【００５１】
ここで、ステップ３を取り外してトラス（図示せず）内の保守点検などを行う場合、ブラシホルダ２０、及びブラシ３１が植立されたブラシ支持体３０がステップ３の取り外しの邪魔になるので、ステップ３の着脱位置に対応する位置にあるブラシホルダ２０をブラシ支持体３０とともに取り外す必要がある。複数のステップ３の取り外しは、下階の乗降口２近傍で順次行うのが一般的である。ホルダ移動規制機構４０の錠機能部４２をスカートガード６の下階の乗降口２側の端部に装着した場合、ステップ３の着脱箇所より上階の乗降口２側に位置する大部分のブラシホルダ２０をスライド移動させる必要がなくなる。
【００５２】
また、ブラシ３１が植立されたブラシ支持体３０を、基部２１の先端面２５に開口するスライド溝２４にスライド式に嵌合させてブラシホルダ２０に装着することで、ブラシ３１を、ブラシ支持体３０を介してブラシホルダ２０に取り付けるものとして説明したが、ブラシ支持体３０を省略し、ブラシ３１を以下に説明するように作製した基部に直接植立してもよい。
例えば、基部２１のスライド溝２４を埋めた形状に作製した長尺体を基部として用い、当該基部と嵌合突部２６とからなる部材をブラシホルダとする。このとき、取付面２２ａに対向する基部の壁面が先端面となり、ブラシ３１は、例えば、ブラシホルダの先端面から突出するように、先端面に基部の長さ方向全域にわたって植立されていてもよい。
【００５３】
但し、ブラシ３１は摩耗する消耗部品であるので、ブラシホルダ２０に比べて短い間隔で交換する必要がある。ブラシホルダ２０とブラシ支持体３０を別体に設けることで、不必要にブラシホルダ２０を交換することがなくなる。なお、ブラシホルダ２０は見栄えを重視する必要があるので豪華に作製する必要があるが、ブラシ支持体３０はブラシホルダ２０に遮蔽されるので、見栄えを気にすることなく安価に構成できる。
【００５４】
また、嵌合突部２６の形状は上記のものに限定されない。嵌合突部２６は、スカートガード６の厚さに略一致する取付面２２ａからの高さ位置までの部位を構成する幅狭の根元部と、根元部より突出方向先端側の部位を構成し、スカートガード６の厚さに略一致する取付面２２ａからの高さ位置で、取付面２２ａと相対する壁面を有する幅広部を備え、基部２１と協働してスカートガード６が嵌合される嵌合凹部が構成される形状であればよい。嵌合穴は、ステップ３の移動方向に所定の長さに延在するスライド穴部と、スライド穴部の長さ方向の一方の端部に連結され、嵌合突部を挿入可能な着脱穴部と、を有する形状に構成すればよい。このとき、スライド穴部の長さ方向の他方の端部から所定の長さを、少なくとも根元部の幅に略一致する幅に形成し、さらに、根元部の幅に略一致する幅に形成したスライド穴部の部位から着脱穴部に至るまでのスライド穴部の幅を根元部の幅以上に形成すればよい。
【００５５】
また、ドレスガード１０はステップ３の両側に配設されているスカートガード６に取り付けられているものとして説明したが、ドレスガード１０は、ステップ３の一側に配設されているスカートガード６のみに取り付けられてもよい。
また、本発明は、エスカレータ１に適用するものとして説明しているが、例えば、乗客コンベアとしての動く歩道に適用しても、同様の効果を得ることができる。
【００５６】
また、スライド規制手段は、ホルダ移動規制機構４０によらず、スカートガード６に嵌合凹部２７を嵌合させて装着したブラシホルダ２０のスライド移動を規制するものであれば、特にその形式は問わない。スライド規制手段は、隙間無く連設された複数のブラシホルダ２０のスライド穴部６ａの長さ方向の一方の端部側の端部に位置するブラシホルダ２０の基部２１の端面に接するように配設されたブラシホルダ当接体としての板部材を有するものでもよい。このとき、仮に板部材をビスなどの締着手段によりスカートガード６に締着固定する場合でも、締着箇所は少ないので、従来のように第１の基材体のそれぞれを複数のビスで締着するものに比べれば、ブラシホルダ２０の着脱にかかる時間は大幅に短縮できる。
【符号の説明】
【００５７】
１  乗客コンベア、２  乗降口、３  ステップ、３ａ  踏み面、６  スカートガード、６Ａ  嵌合穴、６ａ  スライド穴部、６ｂ  着脱穴部、１０  ドレスガード、２０  ブラシホルダ、２１  基部、２２ａ  取付面、２５  先端面、２４  スライド溝、３１  ブラシ、４０  ホルダ移動規制機構（スライド移動規制手段）、４１  鍵、４３  ケース（ブラシホルダ当接体）、５０  キースイッチ。
【図１】
2010159100.tif 000003
【図２】
2010159100.tif 000004
【図３】
2010159100.tif 000005
【図４】
2010159100.tif 000006
【図５】
2010159100.tif 000007
【図６】
2010159100.tif 000008
【図７】
2010159100.tif 000009
【図８】
2010159100.tif 000010
【図９】
2010159100.tif 000011
【図１０】
2010159100.tif 000012